(57)【要約】【課題】解体する場合に、糸抜き作業が容易にでき、ひいては解体が容易にできる畳床を提供する。【解決手段】畳床２は、下シート１０と上シート１６との間に、複数層の素材としてコモ１１、下藁１２、切藁１３、横藁１４、上藁１５を順に積み重ねた状態で、これらを多数本の横糸１７と縦糸１８とにより縫着した構成とする。畳床２を解体する場合、厚さ方向の中間部にカッターを挿入し、このカッターにより各縦糸１８を切断して畳床２を上下２分割する。そして、下分割体においては下シート１０を、上分割体においては上シート１６をそれぞれ剥がすことにより、切断された各縦糸１８を各シート１０，１６に残す状態で各素材から良好に抜き取ることができる。【選択図】　図１
2004132051.tif 000002
【特許請求の範囲】
【請求項１】
下シートと上シートとの間に複数層の素材を積み重ねた状態で、これらを、前記上シートの上に配置される多数本の横糸と、前記各横糸に引っ掛けられると共に前記上下の両シート並びに前記各素材を厚さ方向に貫通して縫われた多数本の縦糸とにより縫着したことを特徴とする畳床。
【請求項２】
請求項１記載の畳床を解体する方法であって、
前記畳床の厚さ方向の中間部において切断手段により各縦糸を切断して前記畳床を上下の分割体に２分割する工程を実行した後、
分割された下分割体において下シートを素材から剥がすことにより、切断された前記各縦糸を前記下シートに残す状態で前記素材から抜く工程と、
分割された上分割体において上シートを素材から剥がすことにより、各横糸及び切断された各縦糸を前記上シートに残す状態で前記各縦糸を前記素材から抜く工程とを同時に若しくは所定の順序で実行するようにしたことを特徴とする畳床の解体方法。
【発明の詳細な説明】
【０００１】
【発明の属する技術分野】
本発明は、横糸と縦糸とによって縫着される畳床及びその畳床の解体方法に関する。
【０００２】
【従来の技術】
一般に畳は、畳床の表面に畳表を被せ、畳床の長手方向の両端部（框）において畳表を畳床に縫着し、畳表の左右の両側に布製の縁（へり）を縫い付けた構成となっている。そして、上記畳床において、藁を主体に構成したものでは、下シートの上に、例えばコモ、下藁（わら）、切藁、横藁、上藁などの複数層の素材を順次積み重ね、これらを、前記上藁の上面に配置される多数本の横糸と、上藁の上面において前記各横糸に引っ掛けられると共に前記下シート並びに前記各素材を厚さ方向に貫通して縫われた多数本の縦糸とにより縫着した構成としたものがある。
【０００３】
【発明が解決しようとする課題】
ところで、このような構成の畳床を廃棄処理する場合、近年では、環境問題や資源の再利用も考慮して、藁などの素材と、シート、縫着糸などとに分別し、それぞれ別個に処分したり、再利用したりすることが行われている。シートや縫着糸は化学製品であるため、そのまま焼却すると、有害ガスが発生する。このためには、畳床を解体する必要がある。
【０００４】
上記した構成の畳床を解体する場合、従来では次のように行うのが一般的であった。すなわち、まず、畳床の厚さ方向の中間部において、例えば切藁と横藁との間に切断用のカッターを挿入し、そのカッターにて各縦糸を切断し、畳床を下分割体と上分割体とに２分割する。そして、下分割体においては、下シートを、コモに対して剥がすことにより、切断された各縦糸を下シートに残す状態でコモや下藁、切藁などの素材から引き抜く。これにより、切断された各縦糸が残された下シートと、コモや下藁などの素材とを分離することができる。また、上分割体においては、切断された各縦糸が横糸に引っ掛かっているため、例えば各横糸を上藁から引き上げることにより、その横糸と共に縦糸を上藁及び横藁から抜き取るようにする。このようにすることで、横糸及び縦糸と、上藁などの素材とを分離することができる。
【０００５】
上記した従来の方法において、下分割体側については、下シートを剥がすことにより、各縦糸を素材から良好に抜くことができる。しかしながら、上分割体側においては、各横糸を引き上げて当該横糸に引っ掛かった各縦糸を素材から抜く際に、縦糸が横糸から外れて素材側に残ってしまうことが多々ある。このため、素材側に残った縦糸を取り除くには、縦糸１本１本を人が手作業で抜くことになり、面倒となる。
【０００６】
本発明は上記事情に鑑みてなされたものであり、その第１の目的は、解体する場合に、糸抜き作業が容易にでき、ひいては解体が容易にできる畳床を提供することにある。また、第２の目的は、同様な目的を達成することができる畳床の解体方法を提供することにある。
【０００７】
【課題を解決するための手段】
上記した第１の目的を達成するために、請求項１の発明の畳床は、下シートと上シートとの間に複数層の素材を積み重ねた状態で、これらを、前記上シートの上に配置される多数本の横糸と、前記各横糸に引っ掛けられると共に前記上下の両シート並びに前記各素材を厚さ方向に貫通して縫われた多数本の縦糸とにより縫着したことを特徴とする。
【０００８】
上記した構成の畳床を解体する場合、請求項２の畳床の解体方法に記載したように、畳床の厚さ方向の中間部において切断手段により各縦糸を切断して前記畳床を上下の分割体に２分割する工程を実行した後、分割された下分割体において下シートを素材から剥がすことにより、切断された前記各縦糸を前記下シートに残す状態で前記素材から抜く工程と、分割された上分割体において上シートを素材から剥がすことにより、各横糸及び切断された各縦糸を前記上シートに残す状態で前記各縦糸を前記素材から抜く工程とを同時に若しくは所定の順序で実行するようにする。
【０００９】
これによれば、２分割された上下分割体のうち、下分割体については、従来と同様に、下シートを剥がすことにより、切断された各縦糸を下シートに残す状態で素材から良好に抜くことができる。また、上分割体についても、上シートがあるから、その上シートを剥がすことにより、各横糸及び切断された各縦糸を上シートに残す状態で各縦糸を素材から良好に抜くことができる。従って、上分割体についても、下分割体と同様に、上シートを剥がすことにより、縫い糸を素材側に残すことなく容易に抜くことができるから、糸抜き作業が容易にでき、ひいては畳床を容易に解体することが可能となる。
【００１０】
【発明の実施の形態】
以下、本発明の一実施例について図面を参照して説明する。まず、図５には畳１の外観が示され、図６には畳床２の外観が示されている。畳１は、畳床２の表面に畳表３を被せ、長手方向の両端部４，４において畳表３を畳床２に框縫い用の縫い糸５により縫着し、畳表３の上面の左右の両側に布製の縁６を、裏面を上にした状態で、図示しない平刺し用の縫い糸で縫い付けると共に、表面が表になるように折り返した縁６を、返し縫い用の縫い糸７により縫い付けた構成となっている。
【００１１】
このような畳１に用いられる畳床２は、具体的には図１に示すような構成となっている。すなわち、下シート１０の上に、複数層の素材、例えばコモ１１と、下藁１２と、切藁１３と、横藁１４と、上藁１５とを順に積み重ねると共に、最上部に上シート１６を載せた状態で、これらを、上シート１６の上面に配置された多数本の横糸１７と、上シート１６の上面において各横糸１７に引っ掛けられると共に上下の両シート１０，１６と、各素材１１，１２，１３，１４，１５を厚さ方向に貫通して縫われた多数本の縦糸１８とにより縫着した構成となっている。各横糸１７は、図６に示すように、畳床２の長手方向と直交する方向に延び、かつ、畳床２の長手方向に多数本が一定の間隔をおいて配置されている。
【００１２】
次に、このような構成の畳床２を解体する際の手順を説明する。
まず、図２に示すように、畳床２における厚さ方向の中間部において、例えば切藁１３と横藁１４との間に、切断手段を構成する長尺なカッター２０を挿入し、そのカッター２０を当該カッター２０の長手方向（横糸１７の延び方向）に往復移動させながら、畳床２の長手方向に相対的に移動させる（矢印Ａ参照）。これにより、図３に示すように、各縦糸１８がカッター２０により切断されて、畳床２は、切藁１３より下側の下分割体２１と、横藁１４より上側の上分割体２２とに２分割される。このとき、カッター２０を矢印Ａ方向には移動させず、畳床２を矢印Ａとは反対方向へ移動させるようにしても良い。
【００１３】
次に、下分割体２１においては、図４に示すように、下シート１０をコモ１１から剥がすことにより、切断された各縦糸１８を下シート１０に残す状態でコモ１１や下藁１２、切藁１３などの素材から引き抜く。これにより、切断された各縦糸１８が残された下シート１０と、コモ１１や下藁１２などの素材とを分離することができる。
【００１４】
また、上分割体２２においては、同図４に示すように、上シート１６を上藁１５から剥がすことにより、上シート１６上の各横糸１７及びこの横糸１７に引っ掛かった、切断された各縦糸１８を上シート１６に残す状態で各縦糸１８を横藁１４及び上藁１５の両素材から良好に抜くことができる。これにより、横糸１７及び切断された各縦糸１８が残された上シート１６と、横藁１４及び上藁１５とを分離することができる。このとき、縦糸１８が横藁１４及び上藁１５側に残ることはほとんどない。なお、この場合、下シート１０と上シート１６を剥がす順序はどちらからでも良く、また、同時でも良い。
【００１５】
従って、本実施例によれば、上分割体２２についても、下分割体２１と同様に、上シート１６を剥がすことにより、縫い糸（横糸１７及び縦糸１８）を素材（横藁１４及び上藁１５）側に残すことなく容易に抜くことができるから、糸抜き作業が容易にでき、ひいては畳床２を容易に解体することが可能となる。
【００１６】
本発明は、上記した実施例にのみ限定されるものではなく、次のように変形または拡張できる。
畳床２としては、下シート１０と上シート１６との間に配置される素材としてすべて藁のものを例示したが、藁に限られず、発泡スチロール製の板材を用いたものであっても良い。
【００１７】
また、上シート１６を、例えば横藁１４と上藁１５との間に配置した構成としても良い。この場合、各横糸１７は、シート１６の上方の上藁１５の上面に配置される。
【００１８】
【発明の効果】
以上の説明から明らかなように、請求項１の畳床によれば、上部に上シートを配置し、下シートと上シートとの間に複数層の素材を積み重ね、これらを多数本の横糸と多数本の縦糸とにより縫着した構成としたことにより、この畳床を解体する場合に、畳床の厚さ方向の中間部において切断手段により各縦糸を切断して畳床を上下の分割体に２分割し、上下の各分割体においてそれぞれシートを剥がすことにより、縫い糸を各シートに残す状態で各素材から良好に抜くことができ、よって糸抜き作業が容易にでき、ひいては畳床を容易に解体することが可能となる。
【００１９】
また、請求項２の畳床の解体方法によれば、畳床を解体する場合に、畳床の厚さ方向の中間部において切断手段により各縦糸を切断して畳床を上下の分割体に２分割し、上下の各分割体においてそれぞれシートを剥がすことにより、縫い糸を各シートに残す状態で各素材から良好に抜くことができ、よって糸抜き作業が容易にでき、ひいては畳床を容易に解体することが可能となる。
【図面の簡単な説明】
【図１】本発明の一実施例を示す畳床の断面図
【図２】畳床をカッターにより上下の分割体に２分割する状態を示す斜視図
【図３】畳床をカッターにより上下の分割体に２分割した状態の断面図
【図４】下シート及び上シートを剥がした状態を示す断面図
【図５】畳の外観斜視図
【図６】畳床の外観斜視図
【符号の説明】
図面中、１は畳、２は畳床、１０は下シート、１１はコモ（素材）、１２は下藁（素材）、１３は切藁（素材）、１４は横藁（素材）、１５は上藁（素材）、１６は上シート、１７は横糸、１８は縦糸、２０はカッター（切断手段）、２１は下分割体、２２は上分割体を示す。
【図１】
2004132051.tif 000003
【図２】
2004132051.tif 000004
【図３】
2004132051.tif 000005
【図４】
2004132051.tif 000006
【図５】
2004132051.tif 000007
【図６】
2004132051.tif 000008